(57)【要約】【課題】外装材としての強度の確保と高い保水性との両立を図ることができるルーバーであって、冷却水の蒸発を促進することでルーバーの羽根部の冷却効果が高められた安価なルーバーを提供する。【解決手段】建物の外方に配置される羽根部を有したルーバーである。前記羽根部の外形をなし、複数の通気孔が貫通形成された囲い部材と、前記囲い部材が区画形成する空間に収容されて保持される複数の塊状の保水材と、を有する。前記保水材同士の間には隙間が形成されており、前記隙間には、前記通気孔から取り込まれた外気が通過する。【選択図】図２
2013144885.tif 000002
【特許請求の範囲】
【請求項１】
建物の外方に配置される羽根部を有したルーバーであって、
前記羽根部の外形をなし、複数の通気孔が貫通形成された囲い部材と、
前記囲い部材が区画形成する空間に収容されて保持される複数の塊状の保水材と、を有し、
前記保水材同士の間には隙間が形成されており、前記隙間には、前記通気孔から取り込まれた外気が通過することを特徴とするルーバー。
【請求項２】
請求項１に記載のルーバーであって、
前記複数の保水材は、幾つかの群に小分けされているとともに、前記群毎に、透水性且つ通気性の袋部材に前記保水材は収容されていることを特徴とするルーバー。
【請求項３】
請求項１又は２に記載のルーバーであって、
前記保水材に給水する給水機構を有することを特徴とするルーバー。
【請求項４】
請求項３に記載のルーバーであって、
前記囲い部材の上方には、前記給水機構の給水口部が設けられ、
前記給水口部から前記囲い部材内の前記保水材に向けて水を落下供給することを特徴とするルーバー。
【請求項５】
請求項１乃至４の何れかに記載のルーバーであって、
前記囲い部材が区画形成する前記空間には、前記保水材と共に、配管が収容されており、
前記配管の一方の管端からは、前記建物の屋内空調に使用される熱媒体が送り込まれ、前記配管の他方の管端からは、前記熱媒体が送出されることを特徴とするルーバー。
【発明の詳細な説明】
【技術分野】
【０００１】
本発明は、建物の外方に配置される羽根部を有したルーバーに関する。
【背景技術】
【０００２】
従来、ファサード等の建物の外方位置には、日射遮蔽目的等でルーバーが配置されている。かかるルーバーは、互いの間に間隔を空けて並ぶ複数の羽根部を有し、これら羽根部によって建物の屋内への日差しの侵入を防ぐようにしている。  
しかし、夏季のように日射が強い時期や、西日を受ける時間帯などには、アルミニウム等の金属製の羽根部が日射を吸収して高温化してしまい、その結果、羽根部自体が輻射熱源となって、その周辺の屋外空間や屋内空間を暑熱環境にしてしまうおそれがあった。  
この点につき、特許文献１には、ルーバーの複数の羽根部内に冷却水の流路を設けて水冷することが開示されている。
【先行技術文献】
【特許文献】
【０００３】
【特許文献１】特開２０１０−１１６７４１号公報
【発明の概要】
【発明が解決しようとする課題】
【０００４】
しかしながら、羽根部内に冷却水の流路を形成すると同羽根部の構造が複雑化し、加工費等の増大を通してコストアップを招く。  
また、冷却水は、羽根部に保水されて、羽根部表面から気化することによって冷却されるので、羽根部の保水性を高める必要がある。その場合、外装材としての強度を確保しつつ、保水性を高めなければならず、セラミック製の材料等では、その両立が難しいといえる。
【０００５】
本発明は、上記のような従来の問題に鑑みなされたものであって、その目的は、外装材としての強度の確保と高い保水性との両立を図ることができるルーバーであって、冷却水の蒸発を促進することでルーバーの羽根部の冷却効果が高められた安価なルーバーを提供することにある。
【課題を解決するための手段】
【０００６】
かかる目的を達成するために請求項１に示す発明は、
建物の外方に配置される羽根部を有したルーバーであって、
前記羽根部の外形をなし、複数の通気孔が貫通形成された囲い部材と、
前記囲い部材が区画形成する空間に収容されて保持される複数の塊状の保水材と、を有し、
前記保水材同士の間には隙間が形成されており、前記隙間には、前記通気孔から取り込まれた外気が通過することを特徴とする。  
上記請求項１に示す発明によれば、複数の塊状の保水材なので、その表面積は大きく、保水性を高めることができる。また、外装材に相当する囲い部材と保水材とを互いに別部材として構成しているので、保水性に左右されずに、外装材の強度確保に適した材料を選定して囲い部材を形成することができる。その結果、当該ルーバーは、外装材としての強度の確保と保水性との両立を図ることができる。
【０００７】
また、複数の保水材はそれぞれ塊状であり、囲い部材の上記空間に収容された状態では、保水材同士の間に隙間が形成されている。そして、かかる隙間は、囲い部材の通気孔から取り込まれた外気の通り道となる。よって、当該外気の通過によって、保水材の表面等に保持された水の蒸発が促進されるので、その気化熱による保水材の冷却が効果的に行われ、これにより、ルーバーの羽根部の冷却効果を大幅に高めることができる。  
更には、羽根部の構成は、囲い部材内の空間に複数の塊状の保水材を配置しただけの（例えば、積み上げただけの）簡単な構成なので、当該羽根部を安価に製造可能であり、その結果、ルーバーを安価に提供可能となる。
【０００８】
請求項２に示す発明は、請求項１に記載のルーバーであって、
前記複数の保水材は、幾つかの群に小分けされているとともに、前記群毎に、透水性且つ通気性の袋部材に前記保水材は収容されていることを特徴とする。  
上記請求項２に示す発明によれば、保水材は、群毎に袋部材に収容されて纏められているので、ルーバーの使用中に経年劣化などで保水材が割れて分離片を生じても、当該分離片は袋部材により同袋部材内に留められる。よって、囲い部材の通気孔からの保水材の抜け落ちを確実に防ぐことができる。
【０００９】
請求項３に示す発明は、請求項１又は２に記載のルーバーであって、
前記保水材に給水する給水機構を有することを特徴とする。  
上記請求項３に示す発明によれば、給水機構によって保水材に水を給水するので、ルーバーの冷却効果を確実に奏することができる。
【００１０】
請求項４に示す発明は、請求項３に記載のルーバーであって、
前記囲い部材の上方には、前記給水機構の給水口部が設けられ、
前記給水口部から前記囲い部材内の前記保水材に向けて水を落下供給することを特徴とする。  
上記請求項４に示す発明によれば、囲い部材の上方から保水材に向けて水を落下供給するので、水は上方に位置する保水材から下方に位置する保水材へと順次流下して各保水材に供給される。よって、かかる簡易な構造によって、水の流路を囲い部材内に形成できて、結果、ルーバーを安価に製造することができる。
【００１１】
請求項５に示す発明は、請求項１乃至４の何れかに記載のルーバーであって、
前記囲い部材が区画形成する前記空間には、前記保水材と共に、配管が収容されており、
前記配管の一方の管端からは、前記建物の屋内空調に使用される熱媒体が送り込まれ、前記配管の他方の管端からは、前記熱媒体が送出されることを特徴とする。  
上記請求項５に示す発明によれば、配管内の熱媒体は、囲い部材内の保水材を介して冷却されるので、当該熱媒体を建物の屋内空調に利用することができる。よって、屋内空調のエネルギー効率を高めることができる。
【発明の効果】
【００１２】
本発明によれば、外装材としての強度の確保と高い保水性との両立を図ることができるルーバーであって、冷却水の蒸発を促進することでルーバーの羽根部の冷却効果が高められた安価なルーバーを提供可能となる。
【図面の簡単な説明】
【００１３】
【図１】本実施形態のルーバー１０，１０…が設けられた建物１の外観斜視図である。
【図２】本実施形態のルーバー１０の斜視図である。
【図３】図３Ａは、後述する羽根部２０を一部破断して示す拡大側面図であり、図３Ｂは、図３Ａ中のＢ−Ｂ断面図である。
【図４】複数の袋部材２９，２９…に小分けされて収容された保水材２８，２８…の概略側面図である。
【図５】羽根部２０を緑化したルーパー１０の斜視図である。
【図６】ルーバー１０ａの変形例の斜視図である。
【図７】横型ルーバー１０ｂの一例の斜視図である。
【発明を実施するための形態】
【００１４】
＝＝＝本実施形態＝＝＝
図１は、本実施形態のルーバー１０，１０…が設けられた建物１の外観斜視図である。この例では、建物１は複数階の一例としての８階建てのビルであり、窓Ｗ，Ｗ…を有する外壁部３の屋外側には、外装材としてのルーバー１０，１０…が外壁部３に支持される形で設けられている。そして、これらルーバー１０，１０…により建物１の屋内への日差しが緩和されている。
【００１５】
なお、この例では、外壁部３において日差しを和らげたい部分に選択的にルーバー１０を設けているため、不規則なパターンで配置されているが、何等これに限らない。例えば意匠的観点から千鳥パターン等の規則性を有したパターンで配置しても良いし、或いは外壁部３の全面に亘ってルーバー１０，１０…を配置しても良い。  
また、この例では、一つのルーバー１０により２階分の遮光を行うようにしている。つまり、ルーバー１０は２階分の階高に相当する高さ寸法に形成されているが、かかる高さ寸法は何等これに限らない。例えば、１階分又は３階以上の複数階分の遮光を行うように、１階分又は３階分以上の階高に相当する高さ寸法に設定しても良い。
【００１６】
図２は、本実施形態のルーバー１０の斜視図である。なお、図２では一部の構成を破断して示している。また、図３Ａは、後述する羽根部２０を一部破断して示す拡大側面図であり、図３Ｂは、図３Ａ中のＢ−Ｂ断面図である。
【００１７】
図２に示すように、このルーバー１０は、遮光用に略平板形状（略扁平形状）の複数の羽根部２０，２０…を有した縦型ルーバー１０である。すなわち、羽根部２０の長手方向を鉛直方向に向けながら、複数の羽根部２０，２０…が、建物１の外壁部３の壁面３ａに沿って水平方向に間欠的に並んで配置されている。  
なお、同壁面３ａに対する各羽根部２０の向きは、遮光条件に応じて適宜設定される。例えば、この例では、同壁面３ａに対して羽根部２０の幅方向が直交方向を向いているが、場合によっては、同壁面３ａに対して各羽根部２０の幅方向を平行に向けても良いし、同壁面３ａに対して所定の傾き角で羽根部２０の幅方向が傾斜するように各羽根部２０を配置しても良い。
【００１８】
各羽根部２０は、当該羽根部２０の外形をなす囲い部材２２と、囲い部材２２の内方に収容・保持される複数の塊状の保水材２８，２８…と、を有している。そして、各羽根部２０の上方には、保水材２８，２８…に給水すべく給水機構３０の給水口部３１，３１…が配置されており、更に、囲い部材２２は、上端２２ｅｕが開口した無蓋箱体である。よって、当該上端２２ｅｕの開口を導水口として用いて、上記給水口部３１から水を囲い部材２２内へ落下供給することにより、囲い部材２２内の各保水材２８，２８…に順次上から下へと水が流下して、上下方向の概ね全ての保水材２８，２８…が冷却され、その結果、日射起因のルーバー１０の高温化は防止される。ちなみに、給水機構３０の給水口部３１は、例えばノズルや点滴パイプであり、かかる給水口部３１を、羽根部２０に係る囲い部材２２の上端２２ｅｕに設けても良いし、羽根部２０における上下方向の中間位置に設けても良い。
【００１９】
また、図２、図３Ａ、及び図３Ｂに示すように、囲い部材２２が具備する四つの側壁部２２ＷＬ，２２ＷＬ，２２ＷＳ，２２ＷＳのうちで少なくとも互いに対向する一対の側壁部２２ＷＬ，２２ＷＬには、複数の通気孔２２Ｈ，２２Ｈ…が貫通形成されており、更に、囲い部材２２内で互いに隣り合う塊状の保水材２８，２８…同士の間には隙間Ｓ，Ｓ…が形成されている。そして、かかる隙間Ｓ，Ｓ…は、上記通気孔２２Ｈ，２２Ｈ…から囲い部材２２内に取り込まれた外気の通り道となる。よって、当該外気の通過によって、保水材２８，２８…が保持する水の蒸発が促進されるので、水の気化熱による保水材２８，２８…の冷却がより効果的に行われ、その結果、ルーバー１０の各羽根部２０の冷却効果を飛躍的に高めることができる。なお、このとき、保水材２８，２８…は塊状であるので、その表面積は大きく、これにより高い保水性を奏し得て、このことも冷却性の向上に寄与する。
【００２０】
囲い部材２２は、既述のように四つの側壁部２２ＷＬ，２２ＷＬ，２２ＷＳ，２２ＷＳを有する略扁平形状の箱部材であり、不図示のステイ部材等を介して壁面３ａに支持されている。そして、下端２２ｅｄには底板等の底部（不図示）を有し、当該底部によって下方から保水材２８，２８…の重量を支持している。但し、囲い部材２２の下端近傍に、底部の代わりとなって、保水材２８，２８…の重量を支持し得るもの（例えば１階の場合には地面Ｇや床部Ｂがこれに該当する）が存在する場合には、囲い部材２２に底部を設けずに同囲い部材２２の下端２２ｅｄは開口されていても良い。
【００２１】
囲い部材２２の素材としては、例えば、鋼やアルミニウム等の金属や木、樹脂などが挙げられ、この例では、耐候性を高めるべく溶融亜鉛メッキ鋼が使用されている。但し、何等上述に限らず、つまり、囲い部材２２内の中空空間に保水材２８，２８…を収容しても変形しない程度の剛性を有した材料であって、外装材としての強度を有する材料であれば、上記以外の材料を用いても良い。
【００２２】
かかる囲い部材２２は、各側壁部２２ＷＬ，２２ＷＬ，２２ＷＳ，２２ＷＳに対応するサイズの各平板を箱状に連結することで作成されても良いし、又は、全ての側壁部２２ＷＬ，２２ＷＬ，２２ＷＳ，２２ＷＳに相当する面積を有した一枚の平板を、囲い部材２２の三つの角部に相当する各位置で屈曲するとともに、同平板の端縁同士を連結して残る一つの角部を形成することで、囲い部材２２を作成しても良いし、或いは、二つの略断面コ字形状の部材２３，２３同士を、略断面ロ字形状になるように突き合わせつつボルト等の連結部材で連結固定することで作成しても良い。この例では、三番目の方法たる略断面コ字形状の部材２３，２３を用いる方法によって、囲い部材２２を形成している。このような略断面コ字形状の部材２３の一例としては、日鐵ファインフロア（商品名：日鐵住金建材(株)製）等を例示できるが、何等これに限らず、例えば鋼製平板を屈曲して作成しても良い。
【００２３】
ところで、この例では、図２、図３Ａ、及び図３Ｂに示すように、通気孔２２Ｈ，２２Ｈ…は、四つの側壁部２２ＷＬ，２２ＷＬ，２２ＷＳ，２２ＷＳのうちで面積の大きい方の一対の側壁部２２ＷＬ，２２ＷＬにのみ形成されており、これにより、通気孔２２Ｈ，２２Ｈ…の開口面積を大きくして外気の通過量の増大を図っている。但し、四つの側壁部２２ＷＬ，２２ＷＬ，２２ＷＳ，２２ＷＳのうちで面積の小さい方の一対の側壁部２２ＷＳ，２２ＷＳのみに、通気孔２２Ｈ，２２Ｈ…が形成されていても良く、或いは、これら四つの全ての側壁部２２ＷＬ，２２ＷＬ，２２ＷＳ，２２ＷＳに通気孔２２Ｈ，２２Ｈ…が形成されていても良い。
【００２４】
また、この例では、通気孔２２Ｈの形状は、水平方向に長い横長矩形形状であり、当該横長矩形形状の通気孔２２Ｈが、上下方向に複数並んで形成されているが、通気孔２２Ｈの形状や配置パターンは何等これに限るものではなく、例えば真円等の円形形状であっても良いし、三角形や五角以上の多角形でも良い。また、図２の例では、水平方向については通気孔２２Ｈが一つだけ設けられているが、水平方向に複数の通気孔を並べて配置しても良い。なお、かかる通気孔となり得る孔が予め形成された平板としてはパンチングメタル材等を例示できて、つまりパンチングメタル材を用いて囲い部材２２を作成しても良い。
【００２５】
保水材２８としては、例えば、軽石、セラミックボール、ハイドロボール（玉粘土を発泡させたもの）、人工軽量骨材、パミス（多孔質火成岩の破砕したもの）、レンガチップ、瓦チップ、石材などを使用可能である。但し、何等上述に限るもではない。すなわち、囲い部材２２内に積み上げ収容した際に変形し難い塊状の部材であって保水性を有する部材であれば、上述以外のものでも適用可能であり、例えば多孔質の塊材でも良い。なお、ルーバー１０を建物１の高所に配置する場合には、保水材２８は軽量な方が好ましく、その観点からは、上述のなかで比較的低密度の素材となる軽石やセラミックボール、ハイドロボール等が好ましい。
【００２６】
また、望ましくは、保水材２８として、その体積が１ｃｍ３以上のものを用いると良く、更に望ましくは、その体積が３ｃｍ３以上のものを用いると良く、そうすれば、保水材２８，２８…同士の間の隙間Ｓの目詰まりを防いで、当該隙間Ｓ，Ｓ…を確実に形成可能となる。
【００２７】
更に、望ましくは、図４の概略側面図に示すように、囲い部材２２内の複数の保水材２８，２８…は、幾つかの群Ｇ２８，Ｇ２８…に小分けされているとともに、当該群Ｇ２８毎に、透水性且つ通気性の袋部材２９に、塊状の保水材２８，２８…が二つ以上収容されて、当該袋部材２９の口部（不図示）は閉塞されていると良い。そして、このようになっていれば、万一、経年劣化等により保水材２８が割れる等して複数の分離片が生じた場合であっても、保水材２８は袋部材２９に収容されて纏められているので、これら分離片は袋部材２９内に留められる。よって、囲い部材２２の通気孔２２Ｈからの抜け落ちを確実に防止できて、かかるルーバー１０が高所に設けられた場合にも高い安全性を確保できる。なお、袋部材２９の素材の一例としては、不織布や織布等が挙げられる。
【００２８】
また、場合によっては、図５の概略斜視図に示すように、各羽根部２０の下方、または下部側方に隣接させて植栽基盤４０Ｂを収容したプランター４０を設置しても良い。このようにすれば、プランター４０にヘデラやオオイタビ等のつる植物を植栽することで、当該植物に羽根部２０の囲い部材２２を登攀させることができて、これにより、当該植物によって囲い部材２２の側壁部２２ＷＬの壁面が覆われて羽根部２０の緑化が図られ、当該羽根部２０の緑化も、日照起因の羽根部２０の高温化の抑制に寄与するようになる。なお、つる植物の登攀を補助すべく、囲い部材２２の側壁部２２ＷＬの壁面に上下方向に沿わせつつワイヤやネット（不図示）を敷設しても良い。なお、かかるワイヤ４２やネットは、図５に示すように、水平方向に隣り合う羽根部２０，２０同士の間の空間（例えば中間位置）に配置されても良く、この場合には、羽根部２０の側壁部２２ＷＬの壁面は蔓植物で覆われないが、その周辺近傍の緑化を図れるので、上述と同様の高温化抑制効果を奏し得る。
【００２９】
また、給水機構３０の給水口部３１から保水材２８，２８…へ供給した水の未蒸発分は、羽根部２０の下端部に到達して余剰水となるが、当該余剰水をプランター４０に供給してつる植物の栽培に供しても良い。なお、図５のようにプランター４０を囲い部材２２の下方に設けた場合には、余剰水はそのまま直接プランター４０に落下供給されるが、他方、プランター４０を囲い部材２２の下部側方に設置する場合には、囲い部材２２の下端部には、囲い部材２２内の中空空間からプランター４０の植栽基盤４０Ｂへと余剰水を誘導するための導水管（不図示）が設けられることになる。  
ちなみに、羽根部２０，２０同士の間の空間は、防風効果によって風が弱められるので、特に高層階の植物にとっては、風ストレスが緩和されており、また、羽根部２０が冷却されているので、つる植物の日射による熱ストレスが緩和されており、よって、当該つる植物にとっても良好な生育環境になっている。
【００３０】
図６は、ルーバー１０ａの変形例の斜視図である。上述の実施形態では、二つの略断面コ字形状部材２３，２３を互いに突き合わせることにより、羽根部２０の箱状の囲い部材２２を形成していたが、この変形例では、略断面コ字形状部材２３を一つだけ用いることにより、羽根部２０ａの囲い部材２２ａを形成している。そして、これにより、囲い部材２２ａは、概ね三つの側壁部２３ＷＬ，２３ＷＳ，２３ＷＳしか有さず、つまり四側方のうちの一方は、略全面に亘って開口しているが、かかる囲い部材２２ａが区画する空間に、保水材２８，２８…を収容して保持可能であれば、このように構成しても良い。ちなみに、図６の例では、保水材２８、２８…を保持させる目的で、面積の大きい側壁部２３ＷＬの両脇に連続する面積の小さい方の一対の側壁部２３ＷＳ，２３ＷＳには、それぞれ端縁にリブ部２３ｂ，２３ｂが設けられている。すなわち、当該リブ部２３ｂ，２３ｂによって、保水材２８，２８…を引っ掛けて保持するようになっている。
【００３１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得ると共に、本発明にはその等価物が含まれるのはいうまでもない。例えば、以下に示すような変形が可能である。
【００３２】
上述の実施形態では、ルーバー１０の一例として縦型ルーバー１０を例示したが、何等これに限るものではなく、横型ルーバー１０ｂとして構成しても良い。すなわち、図７の斜視図に示すように羽根部２０の長手方向を水平方向に向けながら、複数の羽根部２０，２０…が、建物１の外壁部３の壁面３ａに沿って鉛直方向に間欠的に並んで配置されていても良い。また、この場合についても、同壁面３ａに対する各羽根部２０の向きは、遮光条件に応じて適宜設定される。例えば、同壁面３ａに対して羽根部２０の幅方向を直交させても良いし、又は、同壁面３ａに対して各羽根部２０の幅方向を平行に向けても良いし、或いは、同壁面３ａに対して所定の傾き角で羽根部２０の幅方向が傾斜するように各羽根部２０を配置しても良い。ちなみに、この場合にも、給水機構３０の給水口部３１は、最上段の羽根部２０の上方に配置されるが、当該羽根部２０は水平方向に長いことから、複数の給水口部３１が、水平方向に間欠的に配置されることになる。
【００３３】
また、同図７の例では、最上段の羽根部２０の上方のみに給水口部３１，３１…が配置されており、給水口部３１，３１…から給水された水は、最上段の囲い部材２２を上下方向に通過した後に、同囲い部材２２の下面壁部２２ＷＬの通気孔２２Ｈを介してその下方の隣に位置する囲い部材２２の上面壁部２２ＷＬの通気孔２２Ｈへと落下供給され、これを順次上方から下方へと繰り返すことによって下方に位置する囲い部材２２，２２…へと給水するように構成されているが、何等これに限るものではなく、例えば、羽根部２０毎にその直上に給水口部３１，３１…を配置しても良い。
【００３４】
上述の実施形態では、囲い部材２２の一例として略直方体の箱体を例示したが、その形状は何等これに限らない。つまり、複数の保水材２８，２８…を収容可能な空間を区画する部材であって複数の通気孔２２Ｈ，２２Ｈ…が貫通形成された部材であれば、これ以外の形状の部材でも良い。例えば、囲い部材２２は円筒体でも良いし、断面形状が四角形以外の多角形の筒体でも良い。
【００３５】
上述の実施形態では、保水材２８，２８…に給水する給水機構３０を設けていたが、この給水機構３０は必須構成ではない。その理由は、保水材２８，２８…への水の供給を、雨水に頼っても良いからである。但し、給水機構３０を設けている方が、天候に左右されずに保水材２８，２８…を保水状態にできて、ルーバー１０の冷却効果を確実に奏することができるので、その方が好ましい。
【００３６】
上述の実施形態では、囲い部材２２（２２ａ）内には、保水材２８，２８…しか収容せず、ルーバー１０の冷却効果を、その周辺の屋外空間や屋内空間の暑熱環境の改善のみに利用していたが、何等これに限るものではない。例えば、囲い部材２２（２２ａ）内に、保水材２８，２８…とともに銅管や鋼管等の配管（不図示）を収容し、当該配管内に屋内空調用の熱媒体を流しても良い。すなわち、配管の一方の管端からは熱媒体が送り込まれ、他方の管端からは熱媒体が送出されるようにしても良い。このようにすれば、配管内の熱媒体は、同配管内を通過中に囲い部材２２（２２ａ）内の保水材２８，２８…と熱交換して冷却されるので、当該冷却後の熱媒体を建物１の屋内空調に利用することができる。よって、屋内空調のエネルギー効率を高めることができる。ちなみに、熱媒体は、液体でも気体でも良く、配管はアルミ管でも良い。また、囲い部材２２（２２ａ）内の配管を、つづら折り状に配置すれば、その流路長を長く稼ぐことができて、熱交換効率を高めることができる。
【符号の説明】
【００３７】
１  建物、３  外壁部、３ａ  壁面、
１０  縦型ルーバー（ルーバー）、１０ａ  縦型ルーバー（ルーバー）、
１０ｂ  横型ルーバー（ルーバー）、
２０  羽根部、２０ａ  羽根部、
２２  囲い部材、２２ａ  囲い部材、
２２Ｈ  通気孔
２２ＷＬ  側壁部、２２ＷＳ  側壁部、２２ｅｄ  下端、２２ｅｕ  上端、
２３  略断面コ字形状部材、２３ＷＬ  側壁部、２３ＷＳ  側壁部、２３ｂ  リブ部、
２８  保水材、２９  袋部材、
３０  給水機構、３１  給水口部、
４０  プランター、４０Ｂ  植栽基盤、４２  ワイヤ、
Ｇ２８  群、
Ｓ  隙間、Ｂ  床部、Ｇ  地面、
【図４】
2013144885.tif 000003
【図５】
2013144885.tif 000004
【図６】
2013144885.tif 000005
【図７】
2013144885.tif 000006
【図１】
2013144885.tif 000007
【図２】
2013144885.tif 000008
【図３】
2013144885.tif 000009